(57)【要約】【課題】本等の原稿の読み取りにおいて、原稿カバーを閉じなくてもページ領域の外側が黒色領域として読み取られるのを防止しつつ、ページの原稿台での位置合わせを容易にすることができる原稿読取装置を提供する。【解決手段】原稿読取装置４１は、本スキャンにおいて透明領域８３と白色領域８５に分けられた領域画像を表示し、透明領域８３によりページが本スキャンされる範囲、白色領域８５により透明領域８３の外側が白色にスキャンされる範囲を、それぞれ原稿台５５に規定する画像表示部２７と、最初に本スキャンするページのページ領域８１をプリスキャンにより特定するページ領域特定部と、最初に本スキャンするページ及びその後に原稿台５５にコンタクトさせて本スキャンする他のページを本スキャンするときに、最初に本スキャンするページのページ領域８１の内側に透明領域８３が位置する領域画像を、画像表示部２７に表示させる表示制御部と、を備える。【選択図】図１０
2009273030.tif 000002
【特許請求の範囲】
【請求項１】
透明な原稿台と、
複数のページをとじて構成される原稿がスキャンするページを前記原稿台にコンタクトさせて前記原稿台に置かれた状態で、前記原稿台にコンタクトしているページに前記原稿台を通して光を照射する光源と、
前記光源から照射された光が前記原稿台にコンタクトしているページで反射された反射光を受光することによって、前記原稿台にコンタクトしているページをスキャンする画像センサと、
前記原稿台にコンタクトしているページの画像データを出力する本スキャンにおいて透明領域と白色領域に分けられた領域画像を表示し、前記透明領域によりページが本スキャンされる範囲、前記白色領域により前記透明領域の外側が白色にスキャンされる範囲を、それぞれ前記原稿台に規定する画像表示部と、
ページがコンタクトする前記原稿台上の領域であるページ領域を、最初に本スキャンするページについて特定するページ領域特定部と、
前記最初に本スキャンするページ及びその後に前記原稿台にコンタクトさせて本スキャンする他のページを前記画像センサで本スキャンするときに、前記最初に本スキャンするページの前記ページ領域の内側に前記透明領域が位置する前記領域画像を、前記画像表示部に表示させる表示制御部と、を備える原稿読取装置。
【請求項２】
前記ページ領域特定部は、前記原稿台にコンタクトしているページを前記画像センサでプリスキャンすることによって前記ページ領域を特定する、請求項１に記載の原稿読取装置。
【請求項３】
前記他のページを前記画像センサで本スキャンする前に、ユーザの操作により前記ページ領域特定部が前記他のページの前記ページ領域を特定し、
前記他のページを前記画像センサで本スキャンするときに、前記表示制御部は前記他のページの前記ページ領域の内側に前記透明領域が位置する前記領域画像を、前記画像表示部に表示させる、請求項１又は２に記載の原稿読取装置。
【請求項４】
前記原稿読取装置には前記透明領域を拡大縮小する操作キーが設けられている、請求項１〜３のいずれか一項に記載の原稿読取装置。
【請求項５】
前記最初に本スキャンするページの縁に沿ったページの余白に対応する領域に、前記透明領域の縁が位置している、請求項１〜４のいずれか一項に記載の原稿読取装置。
【請求項６】
前記画像表示部は電力の供給を停止しても前記領域画像の表示を保持するメモリ性を有しており、
前記表示制御部は、前記画像表示部に前記領域画像を表示する制御をした後に前記画像表示部への電力の供給を停止する制御をし、ユーザが前記原稿読取装置のリセットキーを操作することにより前記画像表示部に表示している前記領域画像を消去する制御をする、請求項１〜５のいずれか一項に記載の原稿読取装置。
【発明の詳細な説明】
【技術分野】
【０００１】
本発明は、フラットベッド式の原稿読取装置に関する。
【背景技術】
【０００２】
フラットベッド式の原稿読取装置として、原稿台透明板の下に液晶層を備えたものがある（例えば特許文献１参照）。その装置によれば、原稿台透明板上の任意の位置に置かれた原稿の原稿領域とそれ以外の領域をセンサで判別し、原稿領域での液晶層を透明状態とし、原稿領域以外の領域での液晶層を光散乱状態にしている。これにより、原稿カバーを閉めないで原稿の読み取りをしても、原稿の画像の周囲のマージン部分の画像を無色にすることができる。
【０００３】
【特許文献１】特開２００４−１９３７１８号公報（段落００３９、段落００９６〜段落０１００、第２図、第１４図）
【発明の開示】
【発明が解決しようとする課題】
【０００４】
原稿読取装置による読み取りの対象となる原稿には、本のような複数のページをとじて構成される原稿がある。本のページを読み取る場合、ページを原稿台にコンタクトさせて本を原稿台に置いた状態で行われる。
【０００５】
本発明の目的は、複数のページをとじて構成される原稿の読み取りにおいて、原稿カバーを閉じなくてもページ領域の外側が黒色領域として読み取られるのを防止しつつ、ページの原稿台での位置合わせを容易にすることができる原稿読取装置を提供することである。
【課題を解決するための手段】
【０００６】
本発明に係る原稿読取装置は、透明な原稿台と、複数のページをとじて構成される原稿がスキャンするページを前記原稿台にコンタクトさせて前記原稿台に置かれた状態で、前記原稿台にコンタクトしているページに前記原稿台を通して光を照射する光源と、前記光源から照射された光が前記原稿台にコンタクトしているページで反射された反射光を受光することによって、前記原稿台にコンタクトしているページをスキャンする画像センサと、前記原稿台にコンタクトしているページの画像データを出力する本スキャンにおいて透明領域と白色領域に分けられた領域画像を表示し、前記透明領域によりページが本スキャンされる範囲、前記白色領域により前記透明領域の外側が白色にスキャンされる範囲を、それぞれ前記原稿台に規定する画像表示部と、ページがコンタクトする前記原稿台上の領域であるページ領域を、最初に本スキャンするページについて特定するページ領域特定部と、前記最初に本スキャンするページ及びその後に前記原稿台にコンタクトさせて本スキャンする他のページを前記画像センサで本スキャンするときに、前記最初に本スキャンするページの前記ページ領域の内側に前記透明領域が位置する前記領域画像を、前記画像表示部に表示させる表示制御部と、を備える。
【０００７】
本発明でのスキャンにはプリスキャンと本スキャンがある。プリスキャンはページがコンタクトする原稿台上の領域であるページ領域を特定するために、原稿台にコンタクトしているページを画像センサでスキャンすることである。本スキャンは本来のスキャンであり、原稿台にコンタクトしているページを読み取ることである（言い換えればページの画像データを出力することである）。複数のページをとじて構成される原稿としては、本、冊子、複数のページをホッチキスでとじたもの等がある。原稿のサイズは定形、不定形を問わない。
【０００８】
本発明に係る原稿読取装置において、前記ページ領域特定部は、前記原稿台にコンタクトしているページを前記画像センサでプリスキャンすることによって前記ページ領域を特定する、ようにすることができる。
【０００９】
これによれば、原稿が不定形サイズであっても透明領域を正確に設定することができる。
【００１０】
本発明に係る原稿読取装置において、前記他のページを前記画像センサで本スキャンする前に、ユーザの操作により前記ページ領域特定部が前記他のページの前記ページ領域を特定し、前記他のページを前記画像センサで本スキャンするときに、前記表示制御部は前記他のページの前記ページ領域の内側に前記透明領域が位置する前記領域画像を、前記画像表示部に表示させる、ようにすることができる。
【００１１】
これによれば、他のページの本スキャンにおいて透明領域を変更したい場合が生じたときに、リセットキーを操作して最初から操作をやり直す必要をなくすことができる。
【００１２】
本発明に係る原稿読取装置には前記透明領域を拡大縮小する操作キーが設けられている、ようにすることができる。
【００１３】
これによれば、最初に本スキャンするページ及びその後に本スキャンする他のページの本スキャンにおいて、透明領域のサイズの微調整が可能になる。
【００１４】
本発明に係る原稿読取装置において、前記最初に本スキャンするページの縁に沿ったページの余白に対応する領域に、前記透明領域の縁が位置している、ようにすることができる。
【００１５】
これによれば、第何ページかを示す数字を含めて読み取ることが可能となる。
【００１６】
本発明に係る原稿読取装置において、前記画像表示部は電力の供給を停止しても前記領域画像の表示を保持するメモリ性を有しており、前記表示制御部は、前記画像表示部に前記領域画像を表示する制御をした後に前記画像表示部への電力の供給を停止する制御をし、ユーザが前記原稿読取装置のリセットキーを操作することにより前記画像表示部に表示している前記領域画像を消去する制御をする、ようにすることができる。
【００１７】
これによれば、メモリ性を有する画像表示部に領域画像を表示させた後に画像表示部への電力供給を停止するので、画像表示部の消費電力を抑えることができる。また、リセットキーを操作することにより、画像表示部に表示している領域画像が消去されるので、ユーザは簡単に領域画像を消去することができる。
【発明の効果】
【００１８】
本発明に係る原稿読取装置によれば、最初に本スキャンするページのページ領域の内側に位置する透明領域を、最初に本スキャンするページ及びその後に原稿台にコンタクトさせて本スキャンする他のページについて本スキャンする範囲にしている。このように、本発明では、他のページの本スキャンにおいても、最初に本スキャンするページのページ領域の内側に位置する透明領域をそのまま利用している。透明領域はページ領域の内側に位置するのでページ領域よりサイズが小さい。したがって、本スキャンする他のページの原稿台での位置合わせが容易となる。
【００１９】
また、透明領域の外側が白色にスキャンされる範囲を、白色領域により原稿台に規定しているので、原稿カバーを閉じなくても透明領域の外側を白色として読み取ることができる。このため、ページ領域の外側が黒色領域として読み取られるのを防止するために、原稿カバーを閉じる必要をなくすことができる。
【発明を実施するための最良の形態】
【００２０】
本発明の実施形態について図面を用いて説明する。図１は本実施形態に係る原稿読取装置を備えた複合機１の構成を示すブロック図である。複合機１はコピー、ファクシミリ、スキャナ及びプリンタの機能を有する。
【００２１】
複合機１はＭＰＵ(Micro Processing Unit)３、画像センサ５、画像記録部７、表示部９、操作部１１、モデム１３、ＮＣＵ(Network Control Unit)１５、ＲＯＭ(Read Only Memory)１７、ＲＡＭ(Random Access Memory)１９、画像メモリ２１、コーデック２３、ＬＡＮ(Local Area Network)インターフェース２５、画像表示部２７等が相互にバス２９で接続された構成を有する。ＭＰＵ３は複合機１を構成する上記ハードウェアを制御すると共に複合機１の動作に必要なソフトウェアを実行する。
【００２２】
画像センサ５は原稿を読み取り画像データとして出力する等の機能を有する。本実施形態では画像センサ５としてリニアイメージセンサを用いている。画像センサ５にはＣＣＤ(Charge Coupled Device)型とＣＭＯＳ型(Complementary Metal Oxide Semiconductor)がある。画像記録部７は電子写真方式等のプリンタであり、画像センサ５から出力された画像データ、ファクシミリ通信により受信した別のファクシミリ機からの画像データ等を画像に戻し、この画像が記録された用紙を出力する。
【００２３】
表示部９は複合機１の動作状態、各種設定内容等を表示する。表示部９はＬＣＤ(Liquid Crystal Display)、ＣＲＴ(Cathode Ray Tube)等で実現される。操作部１１は複合機１の操作に必要なキー（テンキー、スタートキー、リセットキー、各種のファンクションキー等）を備える。
【００２４】
モデム１３は通常のファクシミリ通信用のファクシミリモデムの機能を有する。また、モデム１３はＮＣＵ１５と直接に接続されている。ＮＣＵ１５は公衆電話回線３１を閉結及び開放する機能の他に、通信する相手方の電話番号に応じたダイヤルパルスを送出する機能及び着信を検出する機能を有する。また、ＮＣＵ１５はモデム１３を必要に応じて公衆電話回線３１に接続する。
【００２５】
ＲＯＭ１７はフラッシュメモリ等により実現されており、複合機１の動作に必要なソフトウェアを記憶している。ＲＡＭ１９はＳＲＡＭ(Static Random Access Memory)、ＤＲＡＭ(Dynamic Random Access Memory)等により実現されている。ＲＡＭ１９はソフトウェアの実行時に発生するデータの一時的な記憶及びアプリケーションソフトの記憶等に利用される。    
【００２６】
画像メモリ２１はＤＲＡＭ等で実現されており、送信すべき画像データ、受信した画像データ及び画像センサ５から出力された画像データ等を一時的に記憶する。
【００２７】
コーデック２３は画像データを符号化圧縮すると共に符号化圧縮されている画像データを復号する。ＬＡＮインターフェース２５は複合機１がＬＡＮ３３と通信可能に接続するインターフェースである。
【００２８】
画像表示部２７は透明領域と白色領域に分けられた領域画像を表示する。画像表示部２７については後で詳細に説明する。
【００２９】
図２は本実施形態に係る原稿読取装置４１の外観を示す図である。原稿読取装置４１は図１に示す複合機１の一部を構成しており、コピー機能、スキャナ機能及びファクシミリ送信機能を利用するときに使用される。
【００３０】
原稿読取装置４１は本体部４３、原稿カバー４５、図１に示す画像センサ５が配置されているキャリッジ(carriage)４７及び操作パネル４９により構成される。
【００３１】
本体部４３はその内部にキャリッジ４７が配置される筐体である。本体部４３は原稿カバー４５と対向する表面５１を有する。表面５１に対して開閉自在に原稿カバー４５が設けられている。表面５１には原稿読取面５３及び原稿台５５が嵌め込まれており、これらは副走査方向５７に間隔をあけて並べられている。
【００３２】
原稿読取面５３は主走査方向５９に延びる細長の透明なガラス板であり、原稿自動送りにより原稿を読み取る場合に使用される。原稿台５５は透明なガラス平板であり、フラットベット式により原稿を読み取る場合に使用される台である。
【００３３】
画像表示部２７について、図２及び図３を用いて説明する。図３は図２の主走査方向５９から見た画像表示部２７及び原稿台５５の断面並びにキャリッジ４７の構成を示す図である。画像表示部２７は原稿台５５と略同じ面積を有しており、原稿台５５の裏面に貼り付けられている。
【００３４】
画像表示部２７は、原稿台５５にコンタクトしているページの画像データを出力する本スキャンにおいて、透明領域と白色領域に分けられた領域画像を表示することによって、透明領域と白色領域を原稿台５５に規定する。透明領域はページが本スキャンされる範囲となる。白色領域は透明領域の外側の範囲であって、白色にスキャンされる範囲となる。画像表示部２７の選択画素により白色領域、非選択画素により透明領域を表示してもよいし、その逆でもよい。
【００３５】
画像表示部２７としては、電子ペーパを用いることができる。電子ペーパは電力の供給を停止しても領域画像の表示を保持するメモリ性を有している。  
【００３６】
図２に示すように、原稿カバー４５はフラットベット式により原稿を読み取る場合において原稿台５５をカバーする機能を有する。原稿カバー４５には原稿自動送り装置６１が取り付けられている。原稿自動送り装置６１は、原稿自動送りにより原稿を読み取る場合において原稿を原稿読取面５３に自動送りする機能を有する。
【００３７】
操作パネル４９は本体部４３の副走査方向５７に延びる側面の一方に取り付けられている。操作パネル４９は図１に示す表示部９及び操作部１１により構成される。
【００３８】
キャリッジ４７は原稿の読取ユニットであり、本体部４３の内部に配置されている。キャリッジ４７は主走査方向５９に延びており、図示しない駆動機構により副走査方向５７に移動可能にされている。
【００３９】
キャリッジ４７の構成を図３により説明する。キャリッジ４７は画像センサ５、光源６３、ミラー６５及びレンズ６７を備える。これらは図２の主走査方向５９に延びている。光源６３は画像表示部２７の透明領域及び原稿台５５を通して、原稿台５５にコンタクトしているページに光を照射する。照射された光はそのページで反射されて反射光となり、原稿台５５及び画像表示部２７の透明領域を通過してミラー６５で反射され、レンズ６７を通過して画像センサ５で受光される。これにより原稿台５５にコンタクトしているページが画像センサ５でスキャンされる。
【００４０】
なお、図３では表示を簡単にするために、ミラー６５を一つしか表していないが、実際は光路長を確保するために複数のミラーが配置されている。したがって、ページからの反射光は複数のミラーで反射された後（第１のミラーで反射されて第２のミラーへ導かれ、第２のミラーで反射されて第３のミラーへ導かれ、・・・）、レンズ６７へ導かれる。
【００４１】
原稿読取装置４１による読み取りの対象となる原稿について説明する。ここでの原稿は複数のページをとじて構成されるものであり、例として本、冊子、複数のページをホッチキス等でとじたものが挙げられる。原稿のサイズは定形、不定形を問わない。
【００４２】
図４及び図５は複数のページをとじて構成される原稿７１の一例が開かれた状態の平面図であり、図４はページ７５が上向きの状態を示し、図５はページ７５が下向きの状態を示している。原稿７１は不定形サイズの上製本であり、表紙７３と、これより小さいサイズを有するページ７５を含む。７７は表紙７３の背を示している。
【００４３】
ページ７５の縁に沿ったページ７５の余白７９より内側に第何ページかを示す数字が表示されている。図４中の二点鎖線は余白７９の範囲を示す想像線であり、ページ７５に印刷されているものではない。
【００４４】
原稿読取装置４１を利用した原稿７１の読み取りについて説明する。図６はそれを説明するフローチャートである。本実施形態においてスキャンにはプリスキャンと本スキャンがある。プリスキャンはページ７５がコンタクトする原稿台５５上の領域であるページ領域を特定するために、原稿台５５にコンタクトしているページ７５を画像センサ５でスキャンすることである。本スキャンは、原稿台５５にコンタクトしているページ７５を読み取る本来のスキャンのことである（言い換えればページ７５の画像データを出力することである）。透明領域と白色領域に分けられた領域画像を画像表示部２７に表示させた読み取りを第１のモード、領域画像を表示させない通常の読み取りを第２のモードと称する。
【００４５】
まずユーザは、図４に示す原稿７１の最初に本スキャンするページ７５を開けて、そのページ７５を原稿台５５にコンタクトさせて原稿７１を原稿台５５に置く（ステップＳ１）。ここでは最初に本スキャンするページ７５を例えば第１２ページ、第１３ページとする。図７は図２に示す原稿読取装置４１において、原稿台５５に原稿７１が置かれた状態を示している。図８はその状態の副走査方向５７に沿った断面図である。
【００４６】
原稿台５５にコンタクトさせたページ７５のサイズを決定する（ステップＳ３）。このサイズの決定は第２のモードを実行するときに利用される。ユーザが操作パネル４９を操作してサイズを指定すればその指定が優先される（原稿７１のページ７５がＡ４サイズであれば、見開きで読み取るのでＡ３サイズを指定）。指定しなければ原稿読取装置４１に設けられた図示しないセンサでサイズを判定する。なお、原稿７１が不定形サイズであれば、そのサイズを上回る最も近い定形サイズが決定させる。
【００４７】
ユーザが第１のモード（透明領域と白色領域に分けられた領域画像を画像表示部２７に表示させた読み取り）、又は第２のモード（領域画像を表示させない通常の読み取り）のいずれを選択したか判断される（ステップＳ５）。ユーザが第２のモードを選択すれば（ステップＳ５でＮｏ）、キャリッジ４７が副走査方向５７に移動しながら、原稿台５５にコンタクトしているページ７５が画像センサ５で本スキャンされる（ステップＳ７）。ステップＳ３で決定されたページサイズが本スキャンされる範囲となる。
【００４８】
一方、ユーザが操作パネル４９を操作して、第１のモードを選択すれば（ステップＳ５でＹｅｓ）、操作パネル４９の図１に示す表示部９には、「スタートキーを操作してプリスキャンを実行して下さい」と表示される。第１のモードを選択することにより、プリスキャンが自動的に実行されるようにしてもよい。
【００４９】
ユーザがスタートキーを操作することにより、キャリッジ４７が副走査方向５７に移動しながら、原稿台５５にコンタクトしているページ７５（最初に本スキャンするページ７５）が画像センサ５でプリスキャンされる（ステップＳ９）。
【００５０】
図９は図７に示す原稿読取装置４１において、プリスキャンされた後の状態を示している。プリスキャンにより、原稿台５５上でのページ領域８１が特定される。ページ領域８１は画像表示部２７に表示されず、図１の画像メモリ２１に記憶される。ここでのページ７５は図４の第１２ページと第１３ページであるので、ページ領域８１は第１２ページと第１３ページの領域を足したものである。ページ７５が表紙７３より小さいので、図９では原稿７１の縁（表紙７３の縁）の内側にページ領域８１が位置している。
【００５１】
原稿台５５にコンタクトしているページ７５を画像センサ５でプリスキャンすることによって、原稿台５５上でのページ領域８１を特定するのは、ページ領域特定部により実行される。ページ領域特定部は、図１のＭＰＵ３、ＲＯＭ１７、ＲＡＭ１９、画像メモリ２１等により構成される。画像センサ５でプリスキャンしてページ領域８１を特定するので、原稿７１が不定形サイズであっても領域画像の透明領域を正確に設定することができる。
【００５２】
ページ領域８１の特定は、ユーザが操作パネル４９を操作してページサイズを指定することにより行ってもよい。例えば、原稿７１のページ７５がＡ４サイズであれば、見開きで読み取るので、ユーザはＡ３サイズを指定する。これにより、ページ領域特定部はＡ３サイズのページ領域８１を特定する。
【００５３】
ページ領域８１を基にして、画像表示部２７には透明領域と白色領域に分けられた領域画像が表示される（ステップＳ１１）。これを詳細に説明する。図１０は図９に示す原稿読取装置４１において、透明領域８３と白色領域８５に分けられた領域画像が画像表示部２７に表示された状態を示す図である。図１１はその状態の副走査方向５７に沿った断面図である。
【００５４】
最初に本スキャンするページ７５のページ領域８１の内側に透明領域８３が位置する領域画像が、画像表示部２７に表示される。透明領域８３以外の領域画像は白色領域８５となる。言い換えれば、領域画像は境界８７により透明領域８３と白色領域８５に分けられる。
【００５５】
透明領域８３がページ領域８１の内側に位置するのをどの程度にするかは、図４に示すページ７５の縁に沿ったページ７５の余白７９を考慮して設定される。ここでは、透明領域８３の縁（すなわち境界８７）が、最初に本スキャンするページ７５の余白７９に対応する領域に位置するようにしている。これにより、第何ページかを示す数字（図４では「１２」と「１３」）を含めたそのページ７５の画像が読み取られるようにする。
【００５６】
図１０において、操作パネル４９の図１に示す表示部９には、「スタートキーを操作して本スキャンを実行して下さい」と表示される。ユーザがスタートキーを操作することにより、キャリッジ４７が副走査方向５７に移動しながら、原稿台５５にコンタクトしているページ７５が画像センサ５で本スキャンされる（ステップＳ１３）。これにより、最初に本スキャンするページ７５（この例では第１２ページ７５と第１３ページ７５）が読み取られる。
【００５７】
最初に本スキャンするページ７５の読み取りが終了しても、透明領域８３のサイズを変えないで領域画像の表示が継続される（ステップＳ１５）。また、操作パネル４９の図１に示す表示部９には、「スタートキーを操作して本スキャンを実行して下さい」と表示される。
【００５８】
次に本スキャンするページ７５（すなわち、その後に原稿台５５にコンタクトさせて本スキャンする他のページ７５）を開けるために、原稿台５５から原稿７１を取り上げる。図１２は図１０に示す原稿読取装置４１において、原稿台５５から原稿７１を取り上げた状態を示す図である。
【００５９】
図１２に示すように、ページ領域８１の内側に透明領域８３が位置するので、続けて他のページ７５を本スキャンするために、他のページ７５を透明領域８３に位置合わせするのが容易となる。
【００６０】
他のページ７５を本スキャンする場合（ステップＳ１７でＹｅｓ）、ユーザは原稿７１の本スキャンする他のページ７５を開けて、そのページ７５を原稿台５５にコンタクトさせて原稿７１を原稿台５５に置く（ステップＳ１９）。ユーザがスタートキーを操作することにより、ステップＳ１３に戻る。
【００６１】
一方、他のページ７５を本スキャンしない場合（ステップＳ１７でＮｏ）、原稿７１の読み取りが終了する。画像表示部２７に表示された透明領域８３と白色領域８５に分けられた領域画像は、所定時間経過後又は操作パネル４９のリセットキー操作により消され、透明領域だけの表示となる。
【００６２】
本実施形態では、最初に本スキャンするページ７５及びその後に原稿台５５にコンタクトさせて本スキャンする他のページ７５を画像センサ５で本スキャンするときに、最初に本スキャンするページ７５のページ領域８１の内側に透明領域８３が位置する領域画像を、画像表示部２７に表示させている（ステップＳ１１，Ｓ１５）。その表示は表示制御部により実行される。表示制御部は、図１のＭＰＵ３、ＲＯＭ１７、ＲＡＭ１９等により構成される。  
【００６３】
本実施形態によれば、最初に本スキャンするページ７５のページ領域８１の内側に位置する透明領域８３を、最初に本スキャンするページ７５及びその後に原稿台５５にコンタクトさせて本スキャンする他のページ７５について本スキャンする範囲にしている。このように、本実施形態では、他のページ７５の本スキャンにおいても、最初に本スキャンするページ７５のページ領域８１の内側に位置する透明領域８３をそのまま利用している。透明領域８３はページ領域８１の内側に位置するのでページ領域８１よりサイズが小さい。したがって、本スキャンする他のページ７５の原稿台５５での位置合わせが容易となる。
【００６４】
また、透明領域８３の外側が白色にスキャンされる範囲を、白色領域８５により原稿台５５に規定しているので、原稿カバー４５を閉じなくても透明領域８３の外側を白色として読み取ることができる。このため、ページ領域８１の外側が黒色領域として読み取られるのを防止するために、原稿カバー４５を閉じる必要がなくなる。
【００６５】
プリスキャンによりページ領域８１を特定するので、ページ領域８１を特定するためのセンサを新たに設ける必要がない。詳細に説明する。ステップＳ３で説明したページのサイズを判定するのに利用されるセンサ（図示せず）は複数個あり、原稿台５５の角のうち予め決められた角を基準にして原稿台５５の下方に固定して設けられている。その角に合わせて定形サイズの原稿を原稿台５５にセットすれば、原稿のサイズが自動的に判定される。
【００６６】
しかし、原稿を原稿台５５の角に合わせないでセット（例えば原稿台５５の中央にセット）した場合、又は原稿を原稿台５５の角に合わせてセットしても不定形サイズの場合、原稿のサイズを正確に検知できない。このため、上記センサを利用してはページ領域８１を特定することができない。また、不定形サイズの原稿を原稿台５５の角に合わせて本スキャンすれば、原稿の画像が用紙の中央から外れて、用紙の角に寄った状態で印刷される。
【００６７】
本実施形態ではプリスキャンによりページ領域８１を特定するので、原稿を原稿台５５の角に合わせないでセットした場合、不定形サイズの原稿を原稿台５５にセットした場合、いずれもページ領域８１を特定することができる。また、プリスキャンでページ領域８１を特定するので、原稿の画像を用紙の角ではなく用紙の中央を基準にして印刷でき、したがって、不定形サイズの原稿であっても原稿の画像が用紙の中央から外れた位置に印刷されるのを防止できる。
【００６８】
本実施形態は次の効果も有する。画像表示部２７は電力の供給を停止しても、透明領域８３と白色領域８５に分けられた領域画像の表示を保持するメモリ性を有しているので、本実施形態では画像表示部２７に領域画像を表示する制御をした後に画像表示部２７への電力の供給を停止する制御をしている。したがって、画像表示部２７の消費電力を抑えることができる。特に、画像表示部２７に領域画像を長時間表示させる必要がある場合（例えば多数のページ７５を読み取る場合）に有効である。
【００６９】
そして、電力の供給が停止された画像表示部２７に表示されている領域画像を、ユーザが操作パネル４９のリセットキーを操作することにより消去する制御をしているので、ユーザは簡単に領域画像を消去することができる。以上の電力供給停止制御と領域画像消去制御は上述した表示制御部により実行される。
【００７０】
本実施形態では画像表示部２７が原稿台５５の下面に貼り付けられているが、画像表示部２７は原稿台５５の内部に配置してもよいし、画像表示部２７を原稿台５５と兼用するようにしてもよい。
【００７１】
最初に本スキャンするページ７５のページ領域８１を基に設定した透明領域８３のサイズを変更したい場合もある。透明領域８３のサイズを変更できる態様として、態様１と態様２がある。
【００７２】
（態様１）
態様１は、他のページ７５をプリスキャンして他のページ７５のページ領域８１を特定し、他のページ７５のページ領域８１の内側に透明領域８３が位置する領域画像を表示する。態様１を詳細に説明する。ステップＳ１５において、操作パネル４９の図１に示す表示部９に、「スタートキーを操作して本スキャンを実行して下さい」と表示される、と説明した。これは他のページ７５を本スキャンするための操作である。態様１では、「スタートキーを操作して本スキャンを実行して下さい」と並列して「プリスキャンの再実行」を、図１に示す表示部９に表示させる。ユーザが「プリスキャンの再実行」を選択して、スタートキーを操作することにより、他のページ７５についてステップＳ９及びステップＳ１１の処理が実行される。
【００７３】
以上の態様１によれば、他のページ７５を画像センサ５で本スキャンする前に、ユーザの操作によりページ領域特定部が他のページ７５のページ領域８１を特定している。そして、他のページ７５を画像センサ５で本スキャンするときに、表示制御部は他のページ７５のページ領域８１の内側に透明領域８３が位置する領域画像を、画像表示部２７に表示させている。したがって態様１によれば、他のページ７５の本スキャンにおいて透明領域８３を変更したい場合、リセットキーを操作して最初から操作をやり直す必要をなくすことができる。
【００７４】
（態様２）
態様２では図１３に示すように、透明領域８３を縦方向に拡大縮小する第１のキー８９と横方向に拡大縮小する第２のキー９１を操作パネル４９の表示部９に設けている。ユーザが本スキャンをする前に第１のキー８９、第２のキー９１を操作することにより、プリスキャンをしないで透明領域８３を拡大縮小できるようにする。態様２では透明領域８３を拡大縮小する操作キーを設けることにより、最初に本スキャンするページ７５及びその後に本スキャンする他のページ７５の本スキャンにおいて、透明領域８３のサイズの微調整が可能になる。
【図面の簡単な説明】
【００７５】
【図１】本実施形態に係る原稿読取装置４１を備えた複合機１の構成を示すブロック図である。
【図２】本実施形態に係る原稿読取装置４１の外観を示す図である。
【図３】図２の主走査方向５９から見た画像表示部２７及び原稿台５５の断面並びにキャリッジ４７の構成を示す図である。
【図４】複数のページをとじて構成される原稿７１の一例が開かれた状態の平面図であり、ページ７５が上向きの状態を示している。
【図５】同ページ７５が下向きの状態を示している。
【図６】本実施形態に係る原稿読取装置４１を利用した原稿７１の読み取りについて説明するフローチャートである。
【図７】図２に示す原稿読取装置４１において、原稿台５５に原稿７１が置かれた状態を示す図である。
【図８】同状態の副走査方向５７に沿った断面図である。
【図９】図７に示す原稿読取装置４１において、プリスキャンされた後の状態を示す図である。
【図１０】図９に示す原稿読取装置４１において、透明領域８３と白色領域８５に分けられた領域画像が画像表示部２７に表示された状態を示す図である。
【図１１】同状態の副走査方向５７に沿った断面図である。
【図１２】図１０に示す原稿読取装置４１において、原稿台５５から原稿７１を取り上げた状態を示す図である。
【図１３】本実施形態に係る原稿読取装置４１の態様２において、透明領域８３を縦方向に拡大縮小する第１のキー８９と横方向に拡大縮小する第２のキー９１が表示された表示部９の平面図である。
【符号の説明】
【００７６】
１・・・複合機、３・・・ＭＰＵ、５・・・画像センサ、７・・・画像記録部、９・・・表示部、１１・・・操作部、１３・・・モデム、１５・・・ＮＣＵ、１７・・・ＲＯＭ、１９・・・ＲＡＭ、２１・・・画像メモリ、２３・・・コーデック、２５・・・ＬＡＮインターフェース、２７・・・画像表示部、２９・・・バス、３１・・・公衆電話回線、３３・・・ＬＡＮ、４１・・・原稿読取装置、４３・・・本体部、４５・・・原稿カバー、４７・・・キャリッジ、４９・・・操作パネル、５１・・・本体部の表面、５３・・・原稿読取面、５５・・・原稿台、５７・・・副走査方向、５９・・・主走査方向、６１・・・原稿自動送り装置、６３・・・光源、６５・・・ミラー、６７・・・レンズ、７１・・・原稿、７３・・・表紙、７５・・・ページ、７７・・・背、７９・・・余白、８１・・・ページ領域、８３・・・透明領域、８５・・・白色領域、８７・・・境界、８９・・・第１のキー、９１・・・第２のキー
【図１】
2009273030.tif 000003
【図２】
2009273030.tif 000004
【図３】
2009273030.tif 000005
【図４】
2009273030.tif 000006
【図５】
2009273030.tif 000007
【図６】
2009273030.tif 000008
【図７】
2009273030.tif 000009
【図８】
2009273030.tif 000010
【図９】
2009273030.tif 000011
【図１０】
2009273030.tif 000012
【図１１】
2009273030.tif 000013
【図１２】
2009273030.tif 000014
【図１３】
2009273030.tif 000015